(57)【要約】【課題】光源による見え方の違いについて、補正すれば再現できる色なのか、補正しても再現できない色なのかを示すこと。【解決手段】デバイス依存色空間で定義され、第１光源下での観察を前提にした第１色値によって印刷した印刷物の見えを第２光源下での第２色値に変換する変換部と、前記変換の結果が前記第２光源下での色域内であるか否かの判定を、前記第１光源下での色域と前記第２光源下での色域とをデバイス非依存色空間で比較した比較結果に基づき実施する判定部と、前記変換の結果が前記第２光源下での色域内でない場合、前記第２色値として、ディスプレイによる表示を可能にする色域外処理をする色域外処理部と、前記第１色値と前記第２色値の違いを表示する処理を実施する表示処理部と、を備える画像処理装置。【選択図】図３
2019205071.tif 000002
【特許請求の範囲】
【請求項１】
デバイス依存色空間で定義され、第１光源下での観察を前提にした第１色値によって印刷した印刷物の見えを第２光源下での第２色値に変換する変換部と、
前記変換の結果が前記第２光源下での色域内であるか否かの判定を、前記第１光源下での色域と前記第２光源下での色域とをデバイス非依存色空間で比較した比較結果に基づき実施する判定部と、
前記変換の結果が前記第２光源下での色域内でない場合、前記第２色値として、ディスプレイによる表示を可能にする色域外処理をする色域外処理部と、
前記第１色値と前記第２色値の違いを表示する処理を実施する表示処理部と、
を備える画像処理装置。
【請求項２】
前記色域外処理部は、前記色域外処理として、前記第２光源下での色域内に圧縮する
請求項１に記載の画像処理装置。
【請求項３】
前記色域外処理部は、前記色域外処理の内容として、クリッピング、網掛け、白抜き及び黒抜きの少なくとも何れかから、ユーザーの指示に基づき決定する
請求項１から請求項２までの何れか一項に記載の画像処理装置。
【請求項４】
前記表示処理部は、前記第１光源下および前記第２光源下での両方で再現可能の値のみで表示する
請求項１から請求項３までの何れか一項に記載の画像処理装置。
【請求項５】
前記表示処理部は、前記第１光源下および前記第２光源下のいずれか一方で再現可能な色のみで表示する
請求項１から請求項４までの何れか一項に記載の画像処理装置。
【請求項６】
デバイス依存色空間で定義され、第１光源下での観察を前提にした第１色値によって印刷した印刷物の見えを第２光源下での第２色値に変換し、
前記変換の結果が前記第２光源下での色域内であるか否かの判定を、前記第１光源下での色域と前記第２光源下での色域とをデバイス非依存色空間で比較した比較結果に基づき実施し、
前記変換の結果が前記第２光源下での色域内でない場合、前記第２色値として、ディスプレイによる表示を可能にする色域外処理をし、
前記第１色値と前記第２色値の違いを表示する処理を実施する
画像処理方法。
【請求項７】
デバイス依存色空間で定義され、第１光源下での観察を前提にした第１色値によって印刷した印刷物の見えを第２光源下での第２色値に変換し、
前記変換の結果が前記第２光源下での色域内であるか否かの判定を、前記第１光源下での色域と前記第２光源下での色域とをデバイス非依存色空間で比較した比較結果に基づき実施し、
前記変換の結果が前記第２光源下での色域内でない場合、前記第２色値として、ディスプレイによる表示を可能にする色域外処理をし、
前記第１色値と前記第２色値の違いを表示する処理を実施する
ことをコンピューターに実行させるためのプログラムを記録した記録媒体。
【発明の詳細な説明】
【技術分野】
【０００１】
本開示は、画像処理に関する。
【背景技術】
【０００２】
印刷された画像は、観察時の光源によって見え方が変化する。そこで、異なる複数の観察光下において、画像を読み取って得たデバイス依存色空間データをデバイス非依存色空間データに変換し、デバイス非依存色空間データの色成分差を算出し、その色成分差を用いて、領域判別用画像を表示する技術が知られている（特許文献１）。
【先行技術文献】
【特許文献】
【０００３】
【特許文献１】特開２０１０−１４８０７２号公報
【発明の概要】
【発明が解決しようとする課題】
【０００４】
上記先行技術の場合、光源の違いによる色差を算出しているだけなので、光源の違いによって色の見えが異なる領域、および変化強度が分かるだけである。そのため、光源の違いにより色の見えが異なった場合に、重視する方の光源下での見えを再現するために、画像の補正を行おうとした場合に、補正すれば再現できる色なのか、補正しても再現できない色なのかが分からない。
【０００５】
本開示は、上記を踏まえ、補正すれば再現できる色なのか、補正しても再現できない色なのかを示すことができるようにすることを解決課題とする。
【課題を解決するための手段】
【０００６】
本開示の一形態は、デバイス依存色空間で定義され、第１光源下での観察を前提にした第１色値によって印刷した印刷物の見えを第２光源下での第２色値に変換する変換部と；前記変換の結果が前記第２光源下での色域内であるか否かの判定を、前記第１光源下での色域と前記第２光源下での色域とをデバイス非依存色空間で比較した比較結果に基づき実施する判定部と；前記変換の結果が前記第２光源下での色域内でない場合、前記第２色値として、ディスプレイによる表示を可能にする色域外処理をする色域外処理部と；前記第１色値と前記第２色値の違いを表示する処理を実施する表示処理部と；を備える画像処理装置である。
【図面の簡単な説明】
【０００７】
【図１】画像処理装置と、プリンターとを示す図。
【図２】ディスプレイに表示される画面の一例を示す図。
【図３】画像処理を示すフローチャート。
【図４】基準光源がＦ１２、比較光源がＤ５０の場合の変換テーブル。
【図５】基準光源がＤ５０、比較光源がＦ１２の場合の変換テーブル。
【図６】クリッピングによる表示例を示す図。
【図７】網掛けによる表示例を示す図。
【図８】白抜きによる表示例を示す図。
【図９】黒抜きによる表示例を示す図。
【図１０】実施形態２で可能な表示の例を示す図。
【図１１】実施形態２で可能な表示の別の例を示す図。
【図１２】前処理を示すフローチャート。
【図１３】変換テーブル作成処理を示すフローチャート。
【図１４】実施形態３の画像処理を示すフローチャート。
【図１５】基準光源下、比較光源下およびディスプレイの色域の関係を示す表。
【発明を実施するための形態】
【０００８】
実施形態１を説明する。図１は、画像処理装置１０と、プリンター２０とを示す。本実施形態における画像処理装置１０は、コンピューターによって構成される。コンピューターは、具体的には、パーソナルコンピュータ、タブレット端末、スマートフォン等である。
【０００９】
画像処理装置１０は、ＣＰＵ１１と、記録媒体１２と、ユーザーインターフェース１４と、変換部１５と、判定部１６と、色域外処理部１７と、表示処理部１８とを備える。
【００１０】
記録媒体１２は、少なくとも非遷移的実体的記録媒体を含んでいる。記録媒体１２には、プログラム１３が記録されている。プログラム１３は、後述する画像処理を実行するためのプログラムである。
【００１１】
ユーザーインターフェース１４は、ディスプレイ及びマウス等の機器を含むマンマシンユーザーインターフェースである。
【００１２】
変換部１５、判定部１６、色域外処理部１７及び表示処理部１８は、ＣＰＵ１１がプログラム１３を実行することによって発揮される機能部である。これらの機能部と、プログラム１３による画像処理との関係は後述する。
【００１３】
プリンター２０は、ＣＭＹＫプリンターである。他の実施形態におけるプリンター２０は、ＲＧＢプリンターでもよい。ＣＭＹＫ色空間及びＲＧＢ色空間の何れも、デバイス依存色空間である。
【００１４】
図２は、ユーザーインターフェース１４に含まれるディスプレイに表示される画面の一例を示す。当該画面は、画像処理を実施するための画面である。画像領域ＩＭには、変換前または変換後の画像が表示される。
【００１５】
画像指定の領域には、画像変換の対象となる画像データのファイル名が示され、図２には一例としてImage Filename Aと表示されている。プリンターとして示された領域には、プリンター２０を特定するための情報（例えば機種名など）が示され、図２には一例としてIJ Printerと示されている。メディアの領域には、印刷媒体を特定するための情報（例えばメディアの商品名など）が示され、図２には一例としてPremium Paperと示されている。印刷モードの領域には、印刷モードを特定するための情報が示され、図２には一例として高画質モードと示されている。
【００１６】
画像指定、プリンター、メディア、印刷モードの各々については、ユーザーがマウス等を用いて指定する。図２に示された基準光源、比較光源、色域外処理の指定については後述する。
【００１７】
図３は、画像処理を示すフローチャートである。画像処理は、ユーザーからの指示に基づき開始される。ＣＰＵ１１は、画像処理を開始すると、前処理を実行する（Ｓ１００）。前処理の内容については、後述する。前処理を実行すると、図４，図５に示されるような変換テーブルが作成される。
【００１８】
図４は、基準光源がＦ１２、比較光源がＤ５０の場合の変換テーブルの例を示す。図５は、基準光源がＤ５０、比較光源がＦ１２の場合の変換テーブルの例を示す。元のＣＭＹＫ値は、基準光源での観察を前提にして定められている。
【００１９】
図４，図５何れについても、基準光源の場合については、Ｙ（イエロー）以外の値がゼロのときのみを示す。実際のテーブルには、Ｙ（イエロー）以外の値がゼロでない場合も含まれる。
【００２０】
図４に示すように、基準光源がＦ１２、比較光源がＤ５０の場合、Ｙ値が０〜３０のときは、Ｇａｍｕｔ内外判定の結果はＩＮであり、Ｙ値が４０〜１００のときは、Ｇａｍｕｔ内外判定の結果はＯＵＴである。なお、ＩＮとＯＵＴとの境界となる階調付近は、より細かく階調を刻んでテーブルを作成することが好ましい。
【００２１】
一方、図５に示すように、基準光源がＤ５０、比較光源がＦ１２の場合、Ｙ値が０〜１００の何れであっても、Ｇａｍｕｔ内外判定の結果はＩＮである。
【００２２】
ＣＰＵ１１は、前処理を終えると、図３に示すように、画像信号の入力を受ける（Ｓ３００）。なお、前処理は、一度、実行すれば、基準光源および比較光源が変更されなければ、次回からは実行しなくてもよい。
【００２３】
次に、ＣＰＵ１１は、比較用パラメーターを取得する（Ｓ４００）。比較用パラメーターとは、色域外の色をどのように処理にして表示するかを示す情報のことである。当該処理は、色域外処理ともいう。色域外処理については後述する。
【００２４】
次に、ＣＰＵ１１は、変換テーブルを用いて、入力された画像信号を対象に、色変換を実施する（Ｓ５００）。Ｓ５００は、変換部１５に対応する。すなわち、変換部１５は、デバイス依存色空間で定義された色値を変換する機能を有し、第１光源下での観察を前提にした第１色値によって印刷した印刷物の見えを、第２光源下での第２色値に変換する。
【００２５】
次に、ＣＰＵ１１は、変換テーブルを用いて、入力された各画素について、Ｇａｍｕｔの内外判定を実施する（Ｓ６００）。Ｓ６００は、判定部１６に対応する。すなわち、判定部１６は、変換部１５による変換の結果が第２光源下での色域内であるか否かの判定を、第１光源下での色域と第２光源下での色域とをデバイス非依存色空間で比較した比較結果に基づき実施する。
【００２６】
次に、ＣＰＵ１１は、Ｇａｍｕｔ外と判定された画素を対象に、色域外処理を実施する（Ｓ７００）。Ｓ７００は、色域外処理部１７に対応する。すなわち、色域外処理部１７は、変換部１５による変換の結果が第２光源下での色域内でない場合、第２色値として、ディスプレイによる表示を可能にする色域外処理をする。色域外処理の具体的内容については後述する。
【００２７】
最後に、ＣＰＵ１１は、変換前または変換後の画像を、ユーザーインターフェース１４に表示する（Ｓ８００）。Ｓ８００は、表示処理部１８に対応する。すなわち、表示処理部１８は、第１色値と第２色値の違いを表示する処理を実施する。ＣＰＵ１１は、Ｓ８００を実現するために、ＣＭＹＫによる色空間で定義された値を、ｓＲＧＢによる色空間で定義された値に変換することで、ディスプレイに表示する。
【００２８】
ユーザーは、図２に示す画面を通じて、変換前の画像を表示させたり、変換後の画像を表示させたりすることができる。具体的には、図２に示された右矢印（基準光源から比較光源を指し示す矢印）をポインターによってクリックすると、変換後の画像が表示され、左矢印（比較光源から基準光源を指し示す矢印）をクリックすると、変換前の画像が表示される。
【００２９】
本実施形態においては、図２に示すように、色域外処理として、クリッピング、網掛け、白抜き及び黒抜きが用意されている。
【００３０】
図６はクリッピングの例を示す。色域外領域ＯＵＴ１は、クリッピングされた色で表示されている。クリッピングとは、変換後の色域で表現できるように、圧縮を施すことである。色域内領域ＩＮは、変換テーブルで定まる値の色で表示される（図７〜図９も同様）。変換テーブルのＧａｍｕｔにＯＵＴが対応付けられている場合、変換後の値として、クリッピングされた値が格納されている。
【００３１】
図７は網掛けの例を示す。色域外領域ＯＵＴ２は、網掛けされている。ここでいう網掛けは、モザイク状の模様を、変換前または変換後の色に重ねて表示することである。
【００３２】
図８は白抜きの例を示す。色域外領域ＯＵＴ３は、白抜きされている。図９は黒抜きの例を示す。色域外領域ＯＵＴ４は、黒抜きされている。
【００３３】
以上に説明した実施形態１によれば、異なる光源下での見え方をディスプレイに表示することができる。さらに、比較光源下において色域外である領域を示すことができる。このため、重視する方の光源下での見えを再現するために、画像の補正を行おうとした場合に、補正すれば再現できる色なのか、補正しても再現できない色なのかを、ユーザーに認識させることができる。
【００３４】
実施形態１の説明の最後として、前処理を説明する。図１２は、前処理を示すフローチャートである。ＣＰＵ１１は、プリンター２０の出力特性を取得する（Ｓ１１０）。出力特性とは、ＣＭＹＫの４Ｄカラーパッチを測色器によって測色して得られる分光反射率のことである。４Ｄカラーパッチは、プリンター２０によって印刷される。４Ｄカラーパッチは、ＣＭＹＫの各色について、例えば６〜８階調、用意される。本実施形態における出力特性は、プリンター２０が記憶している。このため、ＣＰＵ１１は、Ｓ１１０において、出力特性をプリンター２０から取得する。
【００３５】
なお、他の実施形態において、プリンター２０がＲＧＢプリンターの場合は、ＲＧＢの各色について、例えば９〜１７階調、用意された３Ｄカラーパッチが用いられる。
【００３６】
次にＣＰＵ１１は、基準光源として指定された光源に対応した分光分布情報を設定する（Ｓ１２０）。各光源の分光分布情報は、記録媒体１２に記録されている。例えば図２に示されるように、基準光源としてＤ５０が指定されていれば、Ｄ５０の分光分布情報を取得し、当該取得した分光分布情報を、基準光源の分光分布情報として設定する。
【００３７】
次にＣＰＵ１１は、比較光源として指定された光源に対応した分光分布情報を設定する（Ｓ１３０）。例えば図２に示されるように、比較光源としてＦ１２が指定されていれば、Ｆ１２の分光分布情報を設定する。
【００３８】
次にＣＰＵ１１は、評価を行う印刷モードにおいて、プリンターデバイスカラーの複数の格子点データの設定をする（Ｓ１４０）。Ｓ１４０は、Ｓ１１０で取得した出力特性を元に、適宜、補間を実施することで実現される。格子点データとは、格子点としてのインク量で印刷されたパッチの分光反射率データである。本実施形態においては、プリンター２０がＣＭＹＫプリンターであるので、格子点は、ＣＭＹＫ空間としての４Ｄ空間によって定義される。
【００３９】
次にＣＰＵ１１は、複数の格子点データそれぞれを対象に、基準光源による色彩値空間への変換を実施し（Ｓ１５０）、続いて、比較光源による色彩値空間への変換を実施する（Ｓ１６０）。色彩値空間は、デバイス非依存色空間である。Ｓ１５０及びＳ１６０には、以下の式（１Ｘ），（１Ｙ），（１Ｚ）を用いてＸＹＺ値を求め、更に、以下の式（２Ｌ１），（２Ｌ２），（２ａ），（２ｂ）用いて、Ｌ＊ａ＊ｂ＊値を求める。
【００４０】
【数１】
2019205071.tif 000003
【００４１】
なお、上記の式に含まれる各パラメーターは、次の通りである。
【００４２】
【数２】
2019205071.tif 000004
【００４３】
Ｌ＊＝１１６（Ｙ/Ｙ0）1/3−１６、Ｙ/Ｙ0＞０．００８８５６…（２Ｌ１）
Ｌ＊＝９０３．２９（Ｙ/Ｙ0）、０＜Ｙ/Ｙ0≦０．００８８５６…（２Ｌ２）
ａ＊＝５００［（Ｘ/Ｘ0）1/3−（Ｙ/Ｙ0）1/3］…（２ａ）
ｂ＊＝２００［（Ｙ/Ｙ0）1/3−（Ｚ/Ｚ0）1/3］…（２ｂ）
【００４４】
ここで、Ｘ0、Ｙ0、Ｚ0は、各光源の下での完全拡散反射面の３刺激値（リファレンスの白色）である。
【００４５】
式（２Ｌ１），（２Ｌ２），（２ａ），（２ｂ）で求められた色彩値のうち、基準光源のＳ（λ）に対応する基準色彩値空間（以下、Ｇａｍｕｔ１）のものの集合をデータ群１と呼び、比較光源のＳ（λ）に対応する比較色彩値空間（以下、Ｇａｍｕｔ２）のものの集合をデータ群２と呼ぶ。
【００４６】
次にＣＰＵ１１は、変換テーブルを作成する（Ｓ２００）。変換テーブルは、基準光源下において比較光源下での見え方をシミュレーションするためのものである。換言すれば、変換テーブルは、デバイス依存色空間で定義された色値を変換するためのものであり、第１光源下での観察を前提にした第１色値によって印刷した印刷物の見えを、第２光源下での第２色値に変換するテーブルである。
【００４７】
図１３は、Ｓ２００としての変換テーブル作成処理を示すフローチャートである。ＣＰＵ１１は、上記したデータ群１及びデータ群２から１組のＬ＊ａ＊ｂ＊値を抽出し、マッピングモジュールに入力する（Ｓ２１０）。１組のＬ＊ａ＊ｂ＊値は、同じ分光反射率Ｒ（λ）から変換された色彩値である。マッピングモジュールには、Ｇａｍｕｔ１とＧａｍｕｔ２との相互関係を規定した関数が含まれる。当該相互関係用いて、Ｓ２１０を実施することによって、データ群２’に含まれるＬ＊ａ＊ｂ＊値が得られる。具体的には、圧縮が用いられる。データ群２’は、データ群２のＬ＊ａ＊ｂ＊値を、Ｇａｍｕｔ１に変換することで得られるＬ＊ａ＊ｂ＊値によって構成される。
【００４８】
続いてＣＰＵ１１は、データ群２’のＬ＊ａ＊ｂ＊値を、ＣＭＹＫ値に変換することで、ＣＭＹＫ１データを得る（Ｓ２２０）。より詳しくは、Ｌ＊ａ＊ｂ＊値を、Ｋを除くＣＭＹ値に変換した後、ＣＭＹ値を変数とする予め定められた関数を用いて、Ｋ値と、新たなＣＭＹ値とを得る。
【００４９】
一方、ＣＰＵ１１は、Ｓ２１０でのマッピングを利用して、Ｇａｍｕｔの内外判定を実施する（Ｓ２３０）。Ｇａｍｕｔの内外判定とは、データ群２に含まれるＬ＊ａ＊ｂ＊値として、Ｓ２１０でマッピングモジュールに入力されたＬ＊ａ＊ｂ＊値が、Ｇａｍｕｔ１内に収まるのか、Ｇａｍｕｔ１外に位置するのかを判定することである。具体的には、入力値と出力値とが異なる場合は色域外、入力値と出力値とが同じ場合は色域内と判定される。この判定結果は、Ｇａｍｕｔ情報として出力される。Ｇａｍｕｔ情報は、ＩＮ及びＯＵＴの何れかの値を取る。ＩＮはＧａｍｕｔ１内、ＯＵＴはＧａｍｕｔ１外であることを示す。
【００５０】
次に、ＣＰＵ１１は、データ群２に含まれる全てのＬ＊ａ＊ｂ＊値を、マッピングモジュールに入力したかを判定する（Ｓ２４０）。マッピングモジュールに入力していないＬ＊ａ＊ｂ＊値が存在する場合（Ｓ２４０，ＮＯ）、ＣＰＵ１１は、Ｓ２１０に戻る。全てのＬ＊ａ＊ｂ＊値をマッピングモジュールに入力した場合（Ｓ２４０，ＹＥＳ）、ＣＰＵ１１は、変換テーブル作成処理を終える。
【００５１】
実施形態２を説明する。実施形態２の説明は、実施形態１と異なる点を主な対象とする。特に説明しない点については、実施形態１と同じである。
【００５２】
図１０は、実施形態２で可能な表示の例を示す。当該表示は、基準光源下および比較光源下での両方で再現可能の色のみで表示されている。当該表示は、ユーザーインターフェース１４を通じて指示された場合に実行される。このため、基準光源下の表示（変換前の表示）であっても、色域外領域ＯＵＴ５には、色が表示されていない。
【００５３】
図１１は、実施形態２で可能な表示の別の例を示す。当該表示は、基準光源下および比較光源下の何れか一方のみで再現可能の色のみで表示されている。当該表示は、ユーザーインターフェース１４を通じて指示された場合に実行される。基準光源下および比較光源下の何れの表示であっても、色域内領域ＩＮには、色が表示されていない。
【００５４】
実施形態２によれば、色域内の領域、及び色域外の領域を、分かりやすく表示することができる。
【００５５】
実施形態３を説明する。実施形態３の説明は、実施形態１と異なる点を主な対象とする。特に説明しない点については、実施形態１と同じである。
【００５６】
図１４は、実施形態３の画像処理を示すフローチャートである。実施形態３では、Ｓ７００の後、ディスプレイの色域外処理を実施する（Ｓ７５０）。以下、ディスプレイの色域外処理について説明する。
【００５７】
図１５に示された６つの不等式は、色域の内外の関係を示している。例えば、パターンＡとして示された不等式の場合、基準光源下の色域よりも比較光源下の色域の方が広いこと、つまり、Ｇａｍｕｔの内外判定において、ＩＮと判定されることを概念的に示している。この関係は、パターンＣ，Ｅについても同様である。一方、パターンＢ、Ｄ、Ｆの不等式は、Ｇａｍｕｔの内外判定において、ＯＵＴと判定されることを概念的に示している。
【００５８】
パターンＡ〜Ｆの不等式に含まれる「ディスプレイ」の文言は、基準光源下および比較光源下それぞれの色域が、ディスプレイによる色域内であるか、つまりディスプレイによって基準光源下および比較光源下それぞれの見え方が再現できるかを概念的に示すために不等式に含まれている。パターンＡ，Ｂの場合、基準光源下および比較光源下の色域よりも、ディスプレイの色域の方が広い。実施形態１は、パターンＡ，Ｂのみを想定していた。このため、ディスプレイの色域外処理は不要であった。
【００５９】
一方、実施形態３では、パターンＣ、Ｄ、Ｅ，Ｆも想定している。例えば、ディスプレイに用いられるｓＲＧＢ色空間は、明度が低い領域について、印刷物の色空間よりも狭い場合がある。このような領域の場合、パターンＣ〜Ｆの何れかになることがあり得る。
【００６０】
例えば、パターンＣの場合、Ｓ６００におけるＧａｍｕｔ内外判定はＩＮであるものの、基準光源下および比較光源下の何れについても見え方が再現できない。このため、実施形態３では、このような領域について、見え方が再現できないことをユーザーに通知する。具体的には、Ｓ７００として指定された色域外処理とは異なる表示態様を用いることで、当該通知を実施する。より具体的には、例えば、当該領域を点滅させる等の表示態様を用いる。
【００６１】
パターンＤ，Ｅ，Ｆの場合についても、ディスプレイによって見え方が再現できない領域については、上記の通知を実施する。
【００６２】
本開示は、本明細書の実施形態に限られるものではなく、その趣旨を逸脱しない範囲において種々の構成で実現できる。例えば、発明の概要の欄に記載した各形態中の技術的特徴に対応する実施形態中の技術的特徴は、先述の課題の一部又は全部を解決するために、或いは、先述の効果の一部又は全部を達成するために、適宜、差し替えや、組み合わせができる。その技術的特徴が本明細書中に必須なものとして説明されていなければ、適宜、削除できる。例えば、以下の実施形態が例示される。
【００６３】
上記実施形態において、ソフトウエアによって実現された機能及び処理の一部又は全部は、ハードウエアによって実現されてもよい。また、ハードウエアによって実現された機能及び処理の一部又は全部は、ソフトウエアによって実現されてもよい。ハードウエアとしては、例えば、集積回路、ディスクリート回路、または、それらの回路を組み合わせた回路モジュールなど、各種回路を用いてもよい。
【符号の説明】
【００６４】
１０…画像処理装置、１１…ＣＰＵ、１２…記録媒体、１３…プログラム、１４…ユーザーインターフェース、１５…変換部、１６…判定部、１７…色域外処理部、１８…表示処理部、２０…プリンター
【図１】
2019205071.tif 000005
【図２】
2019205071.tif 000006
【図３】
2019205071.tif 000007
【図４】
2019205071.tif 000008
【図５】
2019205071.tif 000009
【図６】
2019205071.tif 000010
【図７】
2019205071.tif 000011
【図８】
2019205071.tif 000012
【図９】
2019205071.tif 000013
【図１０】
2019205071.tif 000014
【図１１】
2019205071.tif 000015
【図１２】
2019205071.tif 000016
【図１３】
2019205071.tif 000017
【図１４】
2019205071.tif 000018
【図１５】
2019205071.tif 000019